(57)【要約】【課題】プロトコル処理の複雑さを軽減し、効率的に通信を行うことができる端末装置、基地局装置、方法、および集積回路に関する技術を提供すること。【解決手段】端末装置であって、基地局装置からＲＲＣコネクションの再設定に関するメッセージを受信する受信部と、前記ＲＲＣコネクションの再設定に関するメッセージに、フル設定を適応する事を示す情報が含まれている事に基づいて、フル設定における処理を行い、前記フル設定における処理において、前記端末装置が５Ｇコア網に接続していない事に基づいて、確立している全てのＤＲＢに対する、ＰＤＣＰエンティティを解放する処理を行う処理部とを有する。【選択図】図７
2020113880.tif 000002
【特許請求の範囲】
【請求項１】
基地局装置と通信する端末装置であって、
前記基地局装置からＲＲＣコネクションの再設定に関するメッセージを受信する受信部と、
前記ＲＲＣコネクションの再設定に関するメッセージに、フル設定を適応する事を示す情報が含まれている事に基づいて、
フル設定における処理を行い、
前記フル設定における処理において、
前記端末装置が５Ｇコア網に接続していない事に基づいて、
確立している全てのＤＲＢに対する、ＰＤＣＰエンティティを解放する処理を行う処理部と、を有する、
端末装置。
【請求項２】
基地局装置と通信する端末装置であって、
前記基地局装置から、Ｅ−ＵＴＲＡから第二のＲＡＴへの移動である事を示すメッセージを受信する受信部と、
前記Ｅ−ＵＴＲＡから第二のＲＡＴへのハンドオーバである事を示すメッセージに従った、ハンドオーバが正常完了した事に基づく処理を行い、
前記ハンドオーバが正常完了した事に基づく処理において、
前記Ｅ−ＵＴＲＡから第二のＲＡＴへのハンドオーバである事を示すメッセージに、前記第二のＲＡＴがＮＲである事の情報が含まれている事、及び前記端末装置がＥＰＣに接続していた事に基づいて、
確立している全てのＥＰＳベアラＩＤに対応しているＤＲＢに対し、ＰＤＣＰエンティティを解放する処理を行う処理部と、を有する、
端末装置。
【請求項３】
端末装置と通信する基地局装置であって、
前記端末装置へＲＲＣコネクションの再設定に関するメッセージを送信する送信部と、
前記端末装置に、
前記ＲＲＣコネクションの再設定に関するメッセージに、フル設定を適応する事を示す情報が含まれている事に基づいて、
フル設定における処理を行わせ、
前記フル設定における処理において、
前記端末装置が５Ｇコア網に接続していない事に基づいて、
確立している全てのＤＲＢに対する、ＰＤＣＰエンティティを解放する処理を行わせる処理部と、を有する、
基地局装置。
【請求項４】
端末装置と通信する基地局装置であって、
前記端末装置へ、Ｅ−ＵＴＲＡから第二のＲＡＴへの移動である事を示すメッセージを送信する送信部と、
前記端末装置に、
前記Ｅ−ＵＴＲＡから第二のＲＡＴへのハンドオーバである事を示すメッセージに従った、ハンドオーバが正常完了した事に基づく処理を行わせ、
前記ハンドオーバが正常完了した事に基づく処理において、
前記Ｅ−ＵＴＲＡから第二のＲＡＴへのハンドオーバである事を示すメッセージに、前記第二のＲＡＴがＮＲである事の情報が含まれている事、及び前記端末装置がＥＰＣに接続していた事に基づいて、
確立している全てのＥＰＳベアラＩＤに対応しているＤＲＢに対し、ＰＤＣＰエンティ
ティを解放する処理を行わせる処理部と、を有する、
基地局装置。
【請求項５】
基地局装置と通信する端末装置の方法であって、
前記基地局装置からＲＲＣコネクションの再設定に関するメッセージを受信し、
前記ＲＲＣコネクションの再設定に関するメッセージに、フル設定を適応する事を示す情報が含まれている事に基づいて、
フル設定における処理を行い、
前記フル設定における処理において、
前記端末装置が５Ｇコア網に接続していない事に基づいて、
確立している全てのＤＲＢに対する、ＰＤＣＰエンティティを解放する処理を行う、
方法。
【請求項６】
基地局装置と通信する端末装置の方法であって、
前記基地局装置から、Ｅ−ＵＴＲＡから第二のＲＡＴへの移動である事を示すメッセージを受信し、
前記Ｅ−ＵＴＲＡから第二のＲＡＴへのハンドオーバである事を示すメッセージに従った、ハンドオーバが正常完了した事に基づく処理を行い、
前記ハンドオーバが正常完了した事に基づく処理において、
前記Ｅ−ＵＴＲＡから第二のＲＡＴへのハンドオーバである事を示すメッセージに、前記第二のＲＡＴがＮＲである事の情報が含まれている事、及び前記端末装置がＥＰＣに接続していた事に基づいて、
確立している全てのＥＰＳベアラＩＤに対応しているＤＲＢに対し、ＰＤＣＰエンティティを解放する処理を行う、
方法。
【請求項７】
端末装置と通信する基地局装置の方法であって、
前記端末装置へＲＲＣコネクションの再設定に関するメッセージを送信し、
前記端末装置に、
前記ＲＲＣコネクションの再設定に関するメッセージに、フル設定を適応する事を示す情報が含まれている事に基づいて、
フル設定における処理を行わせ、
前記フル設定における処理において、
前記端末装置が５Ｇコア網に接続していない事に基づいて、
確立している全てのＤＲＢに対する、ＰＤＣＰエンティティを解放する処理を行わせる、
方法。
【請求項８】
端末装置と通信する基地局装置の方法であって、
前記端末装置へ、Ｅ−ＵＴＲＡから第二のＲＡＴへの移動である事を示すメッセージを送信する送信部と、
前記端末装置に、
前記Ｅ−ＵＴＲＡから第二のＲＡＴへのハンドオーバである事を示すメッセージに従った、ハンドオーバが正常完了した事に基づく処理を行わせ、
前記ハンドオーバが正常完了した事に基づく処理において、
前記Ｅ−ＵＴＲＡから第二のＲＡＴへのハンドオーバである事を示すメッセージに、前記第二のＲＡＴがＮＲである事の情報が含まれている事、及び前記端末装置がＥＰＣに接続していた事に基づいて、
確立している全てのＥＰＳベアラＩＤに対応しているＤＲＢに対し、ＰＤＣＰエンティティを解放する処理を行わせる、
方法。
【発明の詳細な説明】
【技術分野】
【０００１】
本発明は、端末装置、基地局装置、方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）、及びコアネットワーク（以下、「Ｅｖｏｌｖｅｄ  Ｐａｃｋｅｔ  Ｃｏｒｅ：ＥＰＣ」）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）において検討されている。
【０００３】
また、３ＧＰＰにおいて、第５世代のセルラ−システムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。また第５世代セルラーシステムに向けたコアネットワークである、５ＧＣ（５  Ｇｅｎｅｒａｔｉｏｎ  Ｃｏｒｅ  Ｎｅｔｗｏｒｋ）の検討も行われている（非特許文献２）。
【先行技術文献】
【非特許文献】
【０００４】
【非特許文献１】３ＧＰＰ  ＲＰ−１７０８５５，”Ｗｏｒｋ  Ｉｔｅｍ  ｏｎ  Ｎｅｗ  Ｒａｄｉｏ  （ＮＲ）  Ａｃｃｅｓｓ Ｔｅｃｈｎｏｌｏｇｙ”
【非特許文献２】３ＧＰＰ  ＴＳ  ２３．５０１  ｖ１５．３．０,“Ｓｙｓｔｅｍ  Ａｒｃｈｉｔｅｃｔｕｒｅ  ｆｏｒ  ｔｈｅ  ５Ｇ  Ｓｙｓｔｅｍ；  Ｓｔａｇｅ  ２”
【非特許文献３】３ＧＰＰ  ＴＳ  ３６．３００,  ｖ１５．３．０，“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  Ｎｅｔｗｏｒｋ  （Ｅ−ＵＴＲＡＮ）；Ｏｖｅｒａｌｌ  ｄｅｓｃｒｉｐｔｉｏｎ；  Ｓｔａｇｅ  ２”
【非特許文献４】３ＧＰＰ  ＴＳ  ３６．３３１  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献５】３ＧＰＰ  ＴＳ  ３６．３２３  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献６】３ＧＰＰ  ＴＳ  ３６．３２２  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献７】３ＧＰＰ  ＴＳ  ３６．３２１  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献８】３ＧＰＰ  ＴＳ  ３７．３４０ｖ  １５．３．０,“ＥｖｏｌｖｅｄＵｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  ＮＲ;  Ｍｕｌｔｉ−Ｃｏｎｎｅｃｔｉｖｉｔｙ;  Ｓｔａｇｅ  ２”
【非特許文献９】３ＧＰＰ  ＴＳ  ３８．３００ｖ  １５．３．０,“ＮＲ；ＮＲ  ａｎｄ  ＮＧ−ＲＡＮ  Ｏｖｅｒａｌｌ  ｄｅｓｃｒｉｐｔｉｏｎ；  Ｓｔａｇｅ  ２”
【非特許文献１０】３ＧＰＰ  ＴＳ  ３８．３３１  ｖ１５．３．０,“ＮＲ；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献１１】３ＧＰＰ  ＴＳ  ３８．３２３  ｖ１５．３．０,“ＮＲ；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献１２】３ＧＰＰ  ＴＳ  ３８．３２２  ｖ１５．３．０,“ＮＲ；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献１３】３ＧＰＰ  ＴＳ  ３８．３２１  ｖ１５．３．０,“ＮＲ；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献１４】３ＧＰＰ  ＴＳ  ２３．４０１  ｖ１５．０．０，“Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ”
【非特許文献１５】３ＧＰＰ  ＴＳ  ２３．５０２  ｖ１５．３．０,“Ｐｒｏｃｅｄｕｒｅ  ｆｏｒ  ５Ｇ  Ｓｙｓｔｅｍ；  Ｓｔａｇｅ  ２”
【非特許文献１６】３ＧＰＰ  ＴＳ  ３７．３２４  ｖ１５．１．０,“ＮＲ；Ｓｅｒｖｉｃｅ  Ｄａｔａ  Ａｄａｐｔａｔｉｏｎ  Ｐｒｏｔｏｃｏｌ  （ＳＤＡＰ）  ｓｐｅｃｉｆｉｃａｔｉｏｎ”
【非特許文献１７】３ＧＰＰ  ＲＰ−１６１２６６、  “５Ｇ  Ａｒｃｈｉｔｅｃｔｕｒｅ  Ｏｐｔｉｏｎｓ−Ｆｕｌｌ  Ｓｅｔ”
【発明の概要】
【発明が解決しようとする課題】
【０００５】
ＮＲの技術検討の一つとして、Ｅ−ＵＴＲＡとＮＲの両方のＲＡＴ（Ｒａｄｉｏ  Ａｃｃｅｓｓ  Ｔｅｃｈｎｏｌｏｇｙ）のセルをＲＡＴ毎にセルグループ化してＵＥに割り当て、端末装置と１つ以上の基地局装置とが通信する仕組み（ＭＲ−ＤＣ：Ｍｕｌｔｉ−ＲＡＴ  Ｄｕａｌ  Ｃｏｎｎｅｃｔｉｖｉｔｙ，Ｍｕｌｔｉ−Ｒａｄｉｏ  Ｄｕａｌ  Ｃｏｎｎｅｃｔｉｖｉｔｙ）が検討されている（非特許文献８）。
【０００６】
しかしながら、Ｅ−ＵＴＲＡとＮＲとで利用する通信プロトコルのフォーマットや機能が異なるため、また非特許文献８に記載される通り、ＭＲ−ＤＣの形態によって利用されるコア網が異なるため、ＲＡＴとしてＥ−ＵＴＲＡのみ、コア網としてＬＴＥのコア網であるＥＰＣのみを用いる従来のＬＴＥでのＤｕａｌ  Ｃｏｎｎｅｃｔｉｖｉｔｙに比べ、プロトコル処理が複雑になり、基地局装置と端末装置との通信を効率的に行うことができないという課題があった。
【０００７】
本発明の一態様は、上記した事情に鑑みてなされたもので、基地局装置との通信を効率的に行うことができる端末装置、基地局装置、該端末装置に用いられる方法、該端末装置に実装される集積回路を提供することを目的の一つとする。
【課題を解決するための手段】
【０００８】
上記の目的を達成するために、本発明の一態様は、以下のような手段を講じた。すなわち基地局装置と通信する端末装置であって、前記基地局装置からＲＲＣコネクションの再
設定に関するメッセージを受信する受信部と、前記ＲＲＣコネクションの再設定に関するメッセージに、フル設定を適応する事を示す情報が含まれている事に基づいて、フル設定における処理を行い、前記フル設定における処理において、前記端末装置が５Ｇコア網に接続していない事に基づいて、確立している全てのＤＲＢに対する、ＰＤＣＰエンティティを解放する処理を行う処理部と、を有する。
【０００９】
また本発明の一態様は、基地局装置と通信する端末装置であって、前記基地局装置から、Ｅ−ＵＴＲＡから第二のＲＡＴへの移動である事を示すメッセージを受信する受信部と、前記Ｅ−ＵＴＲＡから第二のＲＡＴへのハンドオーバである事を示すメッセージに従った、ハンドオーバが正常完了した事に基づく処理を行い、前記ハンドオーバが正常完了した事に基づく処理において、前記Ｅ−ＵＴＲＡから第二のＲＡＴへのハンドオーバである事を示すメッセージに、前記第二のＲＡＴがＮＲである事の情報が含まれている事、及び前記端末装置がＥＰＣに接続していた事に基づいて、確立している全てのＥＰＳベアラＩＤに対応しているＤＲＢに対し、ＰＤＣＰエンティティを解放する処理を行う処理部と、を有する。
【００１０】
また本発明の一態様は、端末装置と通信する基地局装置であって、前記端末装置へＲＲＣコネクションの再設定に関するメッセージを送信する送信部と、前記端末装置に、前記ＲＲＣコネクションの再設定に関するメッセージに、フル設定を適応する事を示す情報が含まれている事に基づいて、フル設定における処理を行わせ、前記フル設定における処理において、前記端末装置が５Ｇコア網に接続していない事に基づいて、確立している全てのＤＲＢに対する、ＰＤＣＰエンティティを解放する処理を行わせる処理部と、を有する。
【００１１】
また本発明の一態様は、端末装置と通信する基地局装置であって、前記端末装置へ、Ｅ−ＵＴＲＡから第二のＲＡＴへの移動である事を示すメッセージを送信する送信部と、前記端末装置に、前記Ｅ−ＵＴＲＡから第二のＲＡＴへのハンドオーバである事を示すメッセージに従った、ハンドオーバが正常完了した事に基づく処理を行わせ、前記ハンドオーバが正常完了した事に基づく処理において、前記Ｅ−ＵＴＲＡから第二のＲＡＴへのハンドオーバである事を示すメッセージに、前記第二のＲＡＴがＮＲである事の情報が含まれている事、及び前記端末装置がＥＰＣに接続していた事に基づいて、確立している全てのＥＰＳベアラＩＤに対応しているＤＲＢに対し、ＰＤＣＰエンティティを解放する処理を行わせる処理部と、を有する。
【００１２】
また本発明の一態様は、基地局装置と通信する端末装置の方法であって、前記基地局装置からＲＲＣコネクションの再設定に関するメッセージを受信し、前記ＲＲＣコネクションの再設定に関するメッセージに、フル設定を適応する事を示す情報が含まれている事に基づいて、フル設定における処理を行い、前記フル設定における処理において、前記端末装置が５Ｇコア網に接続していない事に基づいて、確立している全てのＤＲＢに対する、ＰＤＣＰエンティティを解放する処理を行う。
【００１３】
また本発明の一態様は、基地局装置と通信する端末装置の方法であって、前記基地局装置から、Ｅ−ＵＴＲＡから第二のＲＡＴへの移動である事を示すメッセージを受信し、前記Ｅ−ＵＴＲＡから第二のＲＡＴへのハンドオーバである事を示すメッセージに従った、ハンドオーバが正常完了した事に基づく処理を行い、前記ハンドオーバが正常完了した事に基づく処理において、前記Ｅ−ＵＴＲＡから第二のＲＡＴへのハンドオーバである事を示すメッセージに、前記第二のＲＡＴがＮＲである事の情報が含まれている事、及び前記端末装置がＥＰＣに接続していた事に基づいて、確立している全てのＥＰＳベアラＩＤに対応しているＤＲＢに対し、ＰＤＣＰエンティティを解放する処理を行う。
【００１４】
また本発明の一態様は、端末装置と通信する基地局装置の方法であって、前記端末装置へＲＲＣコネクションの再設定に関するメッセージを送信し、前記端末装置に、前記ＲＲＣコネクションの再設定に関するメッセージに、フル設定を適応する事を示す情報が含まれている事に基づいて、フル設定における処理を行わせ、前記フル設定における処理において、前記端末装置が５Ｇコア網に接続していない事に基づいて、確立している全てのＤＲＢに対する、ＰＤＣＰエンティティを解放する処理を行わせる。
【００１５】
また本発明の一態様は、端末装置と通信する基地局装置の方法であって、前記端末装置へ、Ｅ−ＵＴＲＡから第二のＲＡＴへの移動である事を示すメッセージを送信する送信部と、前記端末装置に、前記Ｅ−ＵＴＲＡから第二のＲＡＴへのハンドオーバである事を示すメッセージに従った、ハンドオーバが正常完了した事に基づく処理を行わせ、前記ハンドオーバが正常完了した事に基づく処理において、前記Ｅ−ＵＴＲＡから第二のＲＡＴへのハンドオーバである事を示すメッセージに、前記第二のＲＡＴがＮＲである事の情報が含まれている事、及び前記端末装置がＥＰＣに接続していた事に基づいて、確立している全てのＥＰＳベアラＩＤに対応しているＤＲＢに対し、ＰＤＣＰエンティティを解放する処理を行わせる。
【００１６】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１７】
本発明の一態様によれば、端末装置は、プロトコル処理の複雑さを軽減し、効率的に通信を行うことができる。
【図面の簡単な説明】
【００１８】
【図１】本発明の各実施の形態に係る通信システムの概略図。
【図２】本発明の各実施の形態における、Ｅ−ＵＴＲＡにおける端末装置と基地局装置のＵＰ及びＣＰのプロトコルスタック図。
【図３】本発明の各実施の形態における、ＮＲにおける端末装置と基地局装置のＵＰ及びＣＰのプロトコルスタック図。
【図４】本発明の各実施の形態におけるＲＲＣ２０８及び／又はＲＲＣ３０８における、各種設定のための手順のフローの一例を示す図
【図５】本発明の各実施の形態における端末装置の構成を示すブロック図。
【図６】本発明の各実施の形態における基地局装置の構成を示すブロック図。
【図７】本発明の実施の形態におけるＵＥ１２２の処理方法の一例。
【図８】本発明の実施の形態におけるＵＥ１２２の処理方法の別の一例。
【発明を実施するための形態】
【００１９】
以下、本発明の実施の形態について、図面を参照して詳細に説明する。
【００２０】
ＬＴＥ（およびＬＴＥ−Ａ  Ｐｒｏ）とＮＲは、異なるＲＡＴとして定義されてもよい。またＮＲは、ＬＴＥに含まれる技術として定義されてもよい。ＬＴＥは、ＮＲに含まれる技術として定義されてもよい。また、ＮＲとＭｕｌｔｉ  ＲＡＴ（又はＲａｄｉｏ）  Ｄｕａｌ  ｃｏｎｎｅｃｔｉｖｉｔｙで接続可能なＬＴＥは、従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。また本実施形態でのＥ−ＵＴＲＡという用語は、ＬＴＥという用語に置き換えられても良いし、ＬＴＥという用語はＥ−ＵＴＲＡという用語に置き換えられても良い。
【００２１】
図１は本発明の各実施の形態に係る通信システムの概略図である。
【００２２】
Ｅ−ＵＴＲＡ１００は非特許文献３等に記載の無線アクセス技術であり、１つ又は複数の周波数帯域で構成するセルグループ（Ｃｅｌｌ  Ｇｒｏｕｐ：ＣＧ）から成る。ｅＮＢ（Ｅ−ＵＴＲＡＮ  Ｎｏｄｅ  Ｂ）１０２は、Ｅ−ＵＴＲＡ１００の基地局装置である。ＥＰＣ（Ｅｖｏｌｖｅｄ  Ｐａｃｋｅｔ  Ｃｏｒｅ）１０４は、非特許文献１４等に記載のコア網であり、Ｅ−ＵＴＲＡ１００用のコア網として設計された。インタフェース１１２はｅＮＢ１０２とＥＰＣ１０４の間のインタフェース（ｉｎｔｅｒｆａｃｅ）であり、制御信号が通る制御プレーン（Ｃｏｎｔｒｏｌ  Ｐｌａｎｅ：ＣＰ）と、そのユーザデータが通るユーザプレーン（Ｕｓｅｒ  Ｐｌａｎｅ：ＵＰ）が存在する。
【００２３】
ＮＲ１０６は非特許文献９等に記載の無線アクセス技術であり、１つ又は複数の周波数帯域で構成するセルグループ（Ｃｅｌｌ  Ｇｒｏｕｐ：ＣＧ）から成る。ｇＮＢ（ｇ  Ｎｏｄｅ  Ｂ）１０８は、ＮＲ１０６の基地局装置である。５ＧＣ１１０は、非特許文献２等に記載のコア網であり、ＮＲ１０６用のコア網として設計されているが、５ＧＣ１１０に接続する機能をもつＥ−ＵＴＲＡ１００用のコア網として使われても良い。以下Ｅ−ＵＴＲＡ１００とは５ＧＣ１１０に接続する機能をもつＥ−ＵＴＲＡ１００を含んでも良い。
【００２４】
インタフェース１１４はｅＮＢ１０２と５ＧＣ１１０の間のインタフェース、インタフェース１１６はｇＮＢ１０８と５ＧＣ１１０の間のインタフェース、インタフェース１１８はｇＮＢ１０８とＥＰＣ１０４の間のインタフェース、インタフェース１２０はｅＮＢ１０２とｇＮＢ１０８の間のインタフェース、インタフェース１２４はＥＰＣ１０４と５ＧＣ１１０間のインタフェースである。インタフェース１１４、インタフェース１１６、インタフェース１１８、インタフェース１２０、及びインタフェース１２４等はＣＰのみ、又はＵＰのみ、又はＣＰ及びＵＰ両方を通すインタフェースであっても良い。また、インタフェース１１４、インタフェース１１６、インタフェース１１８、インタフェース１２０、及びインタフェース１２４等は、通信事業者が提供する通信システムに応じて存在しない場合もあっても良い。
【００２５】
ＵＥ１２２はＮＲ１０６に対応、又はＥ−ＵＴＲＡ１００及びＮＲ１０６両方対応した端末装置である。非特許文献３、及び／又は（ａｎｄ／ｏｒ）非特許文献９に記載の通り、ＵＥ１２２が、Ｅ−ＵＴＲＡ１００、及び／又はＮＲ１０６を介してコア網と接続する際、ＵＥ１２２と、Ｅ−ＵＴＲＡ１００、及び／又はＮＲ１０６との間に、無線ベアラ（ＲＢ：Ｒａｄｉｏ  Ｂｅａｒｅｒ）と呼ばれる論理経路が確立される。ＣＰに用いられる無線ベアラは、シグナリング無線ベアラ（ＳＲＢ：Ｓｉｇｎａｌｉｎｇ  Ｒａｄｉｏ  Ｂｅａｒｅｒ）と呼ばれ、ＵＰに用いられる無線ベアラは、データ無線ベアラ（ＤＲＢ  Ｄａｔａ  Ｒａｄｉｏ  Ｂｅａｒｅｒ）と呼ばれる。各ＲＢは、ＲＢ識別子（ＲＢ  Ｉｄｅｎｔｉｔｙ，又はＲＢ  ＩＤ）が割り当てられ、一意に識別される。ＳＲＢ用ＲＢ識別子は、ＳＲＢ識別子（ＳＲＢ  Ｉｄｅｎｔｉｔｙ，又はＳＲＢ  ＩＤ）と呼ばれ、ＤＲＢ用ＲＢ識別子は、ＤＲＢ識別子（ＤＲＢ  Ｉｄｅｎｔｉｔｙ，又はＤＲＢ  ＩＤ）と呼ばれる。
【００２６】
非特許文献３に記載の通り、ＵＥ１２２の接続先コア網がＥＰＣ１０４である場合、ＵＥ１２２と、Ｅ−ＵＴＲＡ１００、及び／又はＮＲ１０６との間に確立された各ＤＲＢは更に、ＥＰＣ１０４内を経由する各ＥＰＳ（Ｅｖｏｌｖｅｄ  Ｐａｃｋｅｔ  Ｓｙｓｔｅｍ）ベアラと一意に紐づけられる。各ＥＰＳベアラは、ＥＰＳベアラ識別子（Ｉｄｅｎｔｉｔｙ，又はＩＤ）が割り当てられ、一意に識別される。また同一のＥＰＳベアラを通る
データは同一のＱｏＳが保証される。
【００２７】
非特許文献９に記載の通り、ＵＥ１２２の接続先コア網が５ＧＣ１１０である場合、ＵＥ１２２と、Ｅ−ＵＴＲＡ１００、及び／又はＮＲ１０６との間に確立された一つ又は複数のＤＲＢは更に、５ＧＣ１１０内に確立されるＰＤＵ（Ｐａｃｋｅｔ  Ｄａｔａ  Ｕｎｉｔ）セッションの一つに紐づけられる。各ＰＤＵセッションには、一つ又は複数のＱｏＳフローが存在する。各ＤＲＢは、紐づけられているＰＤＵセッション内に存在する、一つ又は複数のＱｏＳフローと対応付け（ｍａｐ）されても良いし、どのＱｏＳフローと対応づけられなくても良い。各ＰＤＵセッションは、ＰＤＵセッション識別子（Ｉｄｅｎｔｉｔｙ，又はＩＤ）で識別される。また各ＱｏＳフローは、ＱｏＳフロー識別子で識別される。また同一のＱｏＳフローを通るデータは同一のＱｏＳが保証される。
【００２８】
ＥＰＣ１０４には、ＰＤＵセッション、及び／又はＱｏＳフローは存在せず、５ＧＣ１１０にはＥＰＳベアラは存在しない。言い換えると、ＵＥ１２２がＥＰＣ１０４と接続している際、ＵＥ１２２はＥＰＳベアラの情報を持ち、ＵＥ１２２が５ＧＣ１１０と接続している際、ＵＥ１２２はＰＤＵセッション、及び／又はＱｏＳフローの情報を持つ。
【００２９】
図２は本発明の各実施の形態における、Ｅ−ＵＴＲＡ無線アクセスレイヤにおける端末装置と基地局装置のＵＰ及びＣＰのプロトコルスタック（Ｐｒｏｔｏｃｏｌ  Ｓｔａｃｋ）図である。
【００３０】
図２（Ａ）はＥ−ＵＴＲＡ１００においてＵＥ１２２がｅＮＢ１０２と通信を行う際に用いるＵＰのプロトコルスタック図である。
【００３１】
ＰＨＹ（Ｐｈｙｓｉｃａｌ  ｌａｙｅｒ）２００は、無線物理層（無線物理レイヤ）であり、物理チャネル（Ｐｈｙｓｉｃａｌ  Ｃｈａｎｎｅｌ）を利用して上位層（上位レイヤ）に伝送サービスを提供する。ＰＨＹ２００は、後述する上位のＭＡＣ（Ｍｅｄｉｕｍ
Ａｃｃｅｓｓ  Ｃｏｎｔｒｏｌ  ｌａｙｅｒ）２０２とトランスポートチャネル（Ｔｒａｎｓｐｏｒｔ  Ｃｈａｎｎｅｌ）で接続される。トランスポートチャネルを介して、ＭＡＣ２０２とＰＨＹ２００の間でデ−タが移動する。ＵＥ１２２とｅＮＢ１０２のＰＨＹ間において、無線物理チャネルを介してデ−タの送受信が行われる。
【００３２】
ＭＡＣ２０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ２０２は、後述する上位のＲＬＣ（Ｒａｄｉｏ  Ｌｉｎｋ  Ｃｏｎｔｒｏｌ  ｌａｙｅｒ）２０４と、論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ２０２は、間欠受送信（ＤＲＸ・ＤＴＸ）を行うためにＰＨＹ２００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持つ（非特許文献７）。
【００３３】
ＲＬＣ２０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層（下位レイヤ）が適切にデ−タ送信できるようにデ−タサイズを調節する無線リンク制御層（無線リンク制御レイヤ）である。また、ＲＬＣ２００は、各デ−タが要求するＱｏＳ（Ｑｕａｌｉｔｙ  ｏｆ  Ｓｅｒｖｉｃｅ）を保証するための機能も持つ。すなわち、ＲＬＣ２０４は、デ−タの再送制御等の機能を持つ（非特許文献６）。
【００３４】
ＰＤＣＰ２０６は、ユーザデータであるＩＰパケット（ＩＰ  Ｐａｃｋｅｔ）を無線区間で効率的に伝送するためのパケットデータ収束プロトコル層（パケットデータ収束プロトコルレイヤ）である。ＰＤＣＰ２０６は、不要な制御情報の圧縮を行うヘッダ圧縮機能を持ってもよい。また、ＰＤＣＰ２０６は、デ−タの暗号化の機能も持ってもよい（非特許文献５）。
【００３５】
なお、ＭＡＣ２０２、ＲＬＣ２０４、ＰＤＣＰ２０６において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵと呼ぶ。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵと呼ぶ。
【００３６】
図２（Ｂ）はＥ−ＵＴＲＡ１００において、ＵＥ１２２がｅＮＢ１０２と通信を行う際に用いるＣＰのプロトコルスタック図である。
【００３７】
ＣＰのプロトコルスタックには、ＰＨＹ２００、ＭＡＣ２０２、ＲＬＣ２０４、ＰＤＣＰ２０６に加え、ＲＲＣ（Ｒａｄｉｏ  Ｒｅｓｏｕｒｃｅ  Ｃｏｎｔｒｏｌ  ｌａｙｅｒ）２０８が存在する。ＲＲＣ２０８は、ＲＲＣ接続の確立、再確立、一時停止（ｓｕｓｐｅｎｄ）、一時停止解除（ｒｅｓｕｍｅ）等の処理や、ＲＲＣ接続の再設定、例えば無線ベアラ（Ｒａｄｉｏ  Ｂｅａｒｅｒ：ＲＢ）及びセルグループ（Ｃｅｌｌ  Ｇｒｏｕｐ）の確立、変更、解放等の設定を行い、論理チャネル、トランスポートチャネル及び物理チャネルの制御などを行う他、ハンドオーバ及び測定（Ｍｅａｓｕｒｅｍｅｎｔ：メジャメント）の設定などを行う、無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｅＮＢ１０２とＵＥ１２２のＲＲＣ２０８間で各ＲＢの設定が行われてもよい。またＲＢのうちＲＬＣ２０４とＭＡＣ２０２で構成される部分をＲＬＣベアラと呼んでも良い（非特許文献４）。
【００３８】
前述のＭＡＣ２０２、ＲＬＣ２０４、ＰＤＣＰ２０６、及びＲＲＣ２０８の機能分類は一例であり、各機能の一部あるいは全部が実装されなくてもよい。また、各層の機能の一部あるいは全部が他の層に含まれてもよい。
【００３９】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＰＤＣＰレイヤの上位レイヤとなる（不図示）。またＲＲＣレイヤやＮＡＳ（ｎｏｎ  Ａｃｃｅｓｓ  Ｓｔｒａｒｕｍ）レイヤもＳＤＡＰレイヤの上位レイヤとなる（不図示）。言い換えれば、ＰＤＣＰレイヤはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤの下位レイヤとなる。
【００４０】
図３は本発明の各実施の形態における、ＮＲ無線アクセスレイヤにおける端末装置と基地局装置のＵＰ及びＣＰのプロトコルスタック（Ｐｒｏｔｏｃｏｌ  Ｓｔａｃｋ）図である。
【００４１】
図３（Ａ）はＮＲ１０６においてＵＥ１２２がｇＮＢ１０８と通信を行う際に用いるＵＰのプロトコルスタック図である。
【００４２】
ＰＨＹ（Ｐｈｙｓｉｃａｌ  ｌａｙｅｒ）３００は、ＮＲの無線物理層（無線物理レイヤ）であり、物理チャネル（Ｐｈｙｓｉｃａｌ  Ｃｈａｎｎｅｌ）を利用して上位層に伝送サービスを提供してもよい。ＰＨＹ３００は、後述する上位のＭＡＣ（Ｍｅｄｉｕｍ  Ａｃｃｅｓｓ  Ｃｏｎｔｒｏｌ  ｌａｙｅｒ）３０２とトランスポートチャネル（Ｔｒａｎｓｐｏｒｔ  Ｃｈａｎｎｅｌ）で接続されてもよい。トランスポートチャネルを介して、ＭＡＣ３０２とＰＨＹ３００の間でデ−タが移動してもよい。ＵＥ１２２とｇＮＢ１０８のＰＨＹ間において、無線物理チャネルを介してデ−タの送受信が行われてもよい。
【００４３】
ＭＡＣ３０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ３０２は、後述する上位のＲＬＣ（Ｒａｄｉｏ  Ｌｉｎｋ  Ｃｏｎｔｒｏｌ  ｌａｙｅｒ）３０４と、論理チャネルで接続されてもよい。論理チャネルは、伝送される情報の種類によって大きく分けられ、制御情報を伝送する制御チャネルとユ−ザ情報を伝送するトラフィックチャネルに分けられてもよい。ＭＡＣ３０２は、間欠受送信（ＤＲＸ・ＤＴＸ）を行うためにＰＨＹ３００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持ってもよい（非特許文献１３）。
【００４４】
ＲＬＣ３０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層が適切にデ−タ送信できるようにデ−タサイズを調節する無線リンク制御層（無線リンク制御レイヤ）である。また、ＲＬＣ３０４は、各デ−タが要求するＱｏＳ（Ｑｕａｌｉｔｙ  ｏｆ  Ｓｅｒｖｉｃｅ）を保証するための機能も持っても良い。すなわち、ＲＬＣ３０４は、デ−タの再送制御等の機能を持っても良い（非特許文献１２）。
【００４５】
ＰＤＣＰ３０６は、ユーザデータであるＩＰパケット（ＩＰ  Ｐａｃｋｅｔ）を無線区間で効率的に伝送するパケットデータ収束プロトコル層（パケットデータ収束プロトコル層）である。ＰＤＣＰ３０６、不要な制御情報の圧縮を行うヘッダ圧縮機能を持ってもよい。また、ＰＤＣＰ３０６は、デ−タの暗号化の機能も持ってもよい（非特許文献１１）。
【００４６】
ＳＤＡＰ（Ｓｅｒｖｉｃｅ  Ｄａｔａ  Ａｄａｐｔａｔｉｏｎ  Ｐｒｏｔｏｃｏｌ）３１０は、５ＧＣ１１０から基地局装置を介して端末装置に送られるダウンリンクのＱｏＳフローとＤＲＢとの対応付け（マッピング：ｍａｐｐｉｎｇ）、及び端末装置から基地局装置を介して５ＧＣ１１０に送られるアップリンクのＱｏＳフローと、ＤＲＢとのマッピングを行い、マッピングルール情報を格納する機能を持もつ、サービスデータ適応プロトコル層（サービスデータ適応プロトコルレイヤ）である（非特許文献１６）。端末装置が上位レイヤよりＳＤＡＰ  ＳＤＵをＱｏＳフロー情報と共に受け取った際、格納されているＱｏＳフローとＤＲＢとのマッピングルールに基づいて、ＳＤＡＰ  ＳＤＵを該当するＤＲＢに割り当てる。ＱｏＳフローとＤＲＢとのマッピングルールが格納されていない場合、ＳＤＡＰ  ＳＤＵをデフォルト無線ベアラ（デフォルトＤＲＢ）に割り当てても良い。ＱｏＳフローは同じＱｏＳポリシーによって処理される、一つ又は複数のサービスデータフロー（Ｓｅｒｖｉｃｅ  Ｄａｔａ  Ｆｌｏｗ：ＳＤＦ）から成る（非特許文献２）。またＳＤＡＰはダウンリンクＱｏＳフローの情報を基に、アップリンクのＱｏＳフローとＤＲＢとのマッピングを行う、リフレクティブＱｏＳ（Ｒｅｆｌｅｃｔｉｖｅ  ＱｏＳ）の機能を持っても良い。またＱｏＳフローとＤＲＢとの対応付けルールが変更になった場合には、エンドマーカー（Ｅｎｄ  Ｍａｒｋｅｒ）ＤＰＵを作成し、変更前のＤＲＢに送信する事により、ＳＤＡＰ  ＳＤＵの順番通りの配信（ｉｎ−ｓｅｑｕｅｎｃｅ  ｄｅｌｉｖｅｒｙ）を保証しても良い（非特許文献２、非特許文献１６）。
【００４７】
エンドマーカーＰＤＵとは、非特許文献１６に記載のＳＤＡＰ制御ＰＤＵで、ＵＥのＳＤＡＰ層が、本エンドマーカーＰＤＵのＱｏＳフロー識別子フィールドに含まれるＱｏＳフロー識別子に対応したＱｏＳフローと、本エンドマーカーＰＤＵが送信された無線ベアラとの対応（ｍａｐｐｉｎｇ）が終了する事を通知するために使われる。
【００４８】
ＵＥ１２２において、ＳＤＡＰ層は各ＰＤＵセッションに対し一つ存在する。よってＵＥ１２２にＳＤＡＰ層が存在するのは、ＵＥ１２２が５ＧＣ１１０と接続している場合である。
【００４９】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＳＤＡＰレイヤの上位レイヤとなる（不図示）。またＲＲＣレイヤやＮＡＳ（ｎｏｎ  Ａｃｃｅｓｓ  Ｓｔｒａｒｕｍ）レイヤもＳＤＡＰレイヤの上位レイヤとなる（不図示）。ＮＡＳレイヤにおいて、サービスデータフローとＱｏＳフローとの対応付が行われる。言い換えれば、ＳＤＡＰレイヤはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤの下位レイヤとなる。
【００５０】
なお、ＭＡＣ３０２、ＲＬＣ３０４、ＰＤＣＰ３０６、ＳＤＡＰ３１０において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵ、ＳＤＡＰ  ＰＤＵと呼んでも良い。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵ、ＳＤＡＰ  ＳＤＵと呼んでも良い。
【００５１】
図３（Ｂ）はＮＲ１０６において、ＵＥ１２２がｇＮＢ１０８と通信を行う際に用いるＣＰのプロトコルスタック図である。
【００５２】
ＣＰのプロトコルスタックには、ＰＨＹ３００、ＭＡＣ３０２、ＲＬＣ３０４、ＰＤＣＰ３０６に加え、ＲＲＣ（Ｒａｄｉｏ  Ｒｅｓｏｕｒｃｅ  Ｃｏｎｔｒｏｌ  ｌａｙｅｒ）３０８が存在する。ＲＲＣ３０８は、ＲＲＣ接続の確立、再確立、一時停止（ｓｕｓｐｅｎｄ）、一時停止解除（ｒｅｓｕｍｅ）等の処理や、ＲＲＣ接続の再設定、例えば無線ベアラ（Ｒａｄｉｏ  Ｂｅａｒｅｒ：ＲＢ）及びセルグループ（Ｃｅｌｌ  Ｇｒｏｕｐ）の確立、変更、解放等の設定を行い、論理チャネル、トランスポートチャネル及び物理チャネルの制御などを行う他、ハンドオーバ及び測定（Ｍｅａｓｕｒｅｍｅｎｔ：メジャメント）の設定などを行う、無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｇＮＢ１０８とＵＥ１２２のＲＲＣ３０８間で各ＲＢの設定が行われてもよい。またＲＢのうちＲＬＣ３０４とＭＡＣ３０２で構成される部分をＲＬＣベアラと呼んでも良い（非特許文献１０）。
【００５３】
前述のＭＡＣ３０２、ＲＬＣ３０４、ＰＤＣＰ３０６、ＳＤＡＰ３１０、及びＲＲＣ３０８の機能分類は一例であり、各機能の一部あるいは全部が実装されなくてもよい。また、各層（各レイヤ）の機能の一部あるいは全部が他の層（レイヤ）に含まれてもよい。
【００５４】
なお、端末装置、及び／又は（ａｎｄ／ｏｒ）基地局装置に設定される各層の事を、エンティティと呼んでも良い。即ち、端末装置、及び／又は基地局装置に設定される、ＭＡＣ層、ＲＬＣ層、ＰＤＣＰ層、ＳＤＡＰ層、及びＲＲＣ層の事を、ＭＡＣエンティティ、ＲＬＣエンティティ、ＰＤＣＰエンティティ、ＳＤＡＰエンティティ、及びＲＲＣエンティティと、それぞれ呼んでも良い。
【００５５】
なお、本発明の各実施の形態では、以下Ｅ−ＵＴＲＡのプロトコルとＮＲのプロトコルを区別するため、ＭＡＣ２０２、ＲＬＣ２０４、ＰＤＣＰ２０６、及びＲＲＣ２０８を、それぞれＥ−ＵＴＲＡ用ＭＡＣ又はＬＴＥ用ＭＡＣ、Ｅ−ＵＴＲＡ用ＲＬＣ又はＬＴＥ用ＲＬＣ、Ｅ−ＵＴＲＡ用ＰＤＣＰ又はＬＴＥ用ＰＤＣＰ、及びＥ−ＵＴＲＡ用ＲＲＣ又はＬＴＥ用ＲＲＣと呼ぶ事もある。また、ＭＡＣ３０２、ＲＬＣ３０４、ＰＤＣＰ３０６、ＲＲＣ３０８を、それぞれＮＲ用ＭＡＣ、ＮＲ用ＲＬＣ、ＮＲ用ＲＬＣ、及びＮＲ用ＲＲＣと呼ぶ事もある。又は、Ｅ−ＵＴＲＡ  ＰＤＣＰ又はＬＴＥ  ＰＤＣＰ、ＮＲ  ＰＤＣＰなどとスペースを用いて記述する場合もある。
【００５６】
また、図１に示す通り、ｅＮＢ１０２、ｇＮＢ１０８、ＥＰＣ１０４、５ＧＣ１１０は、インタフェース１１２、インタフェース１１６、インタフェース１１８、インタフェース１２０、及びインタフェース１１４を介して繋がってもよい。このため、多様な通信システムに対応するため、図２のＲＲＣ２０８は、図３のＲＲＣ３０８に置き換えられてもよい。また図２のＰＤＣＰ２０６は、図３のＰＤＣＰ３０６に置き換えられても良い。また、図３のＲＲＣ３０８は、図２のＲＲＣ２０８の機能を含んでも良い。また図３のＰＤＣＰ３０６は、図２のＰＤＣＰ２０６であっても良い。また、Ｅ−ＵＴＲＡ１００において、ＵＥ１２２がｅＮＢ１０２と通信する場合であってもＰＤＣＰとしてＮＲ  ＰＤＣＰが使われても良い。
【００５７】
図４は、本発明の各実施の形態におけるＲＲＣ２０８及び／又は（ａｎｄ／ｏｒ）ＲＲＣ３０８における、各種設定のための手順（ｐｒｏｃｅｄｕｒｅ）のフローの一例を示す図である。図４は、基地局装置（ｅＮＢ１０２及び／又はｇＮＢ１０８）から端末装置（ＵＥ１２２）にＲＲＣメッセージが送られる場合のフローの一例である。
【００５８】
図４において、基地局装置はＲＲＣメッセージを作成する（ステップＳ４００）。基地局装置におけるＲＲＣメッセージの作成は、基地局装置が報知情報（ＳＩ：Ｓｙｓｔｅｍ
Ｉｎｆｏｒｍａｔｉｏｎ）やページング情報を配信する際に行われても良いし、基地局装置が特定の端末装置に対して処理を行わせる必要があると判断した際、例えばセキュリティに関する設定や、ＲＲＣ接続の再設定（無線線ベアラの処理（確立、変更、解放など）や、セルグループの処理（確立、追加、変更、解放など）、メジャメント設定、ハンドオーバ設定など）、ＲＲＣ接続状態の解放などの際に行われても良い。またＲＲＣメッセージは異なるＲＡＴへのハンドオーバコマンドに用いられても良い。ＲＲＣメッセージには各種情報通知や設定のための情報（パラメータ）が含まれる。非特許文献４又は非特許文献１０などのＲＲＣに関する仕様書では、これらのパラメータは、フィールド及び／又は情報要素呼ばれ、ＡＳＮ．１（Ａｂｓｔｒａｃｔ  Ｓｙｎｔａｘ  Ｎｏｔａｔｉｏｎ  Ｏｎｅ）という記述方式を用いて記述される。
【００５９】
図４において、次に基地局装置は、作成したＲＲＣメッセージを端末装置に送信する（ステップＳ４０２）。次に端末装置は受信した上述のＲＲＣメッセージに従って、設定などの処理が必要な場合には処理を行う（ステップＳ４０４）。
【００６０】
なお、ＲＲＣメッセージの作成は、上述の例に限らず、非特許文献４や、非特許文献１０などに記載の通り、他の目的で作成されても良い。
【００６１】
例えば、ＲＲＣメッセージは、Ｄｕａｌ  Ｃｏｎｎｅｃｔｉｖｉｔｙ（ＤＣ）や、非特許文献８に記載のＭｕｌｔｉ−ＲＡＴ  Ｄｕａｌ  Ｃｏｎｎｅｃｔｉｖｉｔｙ（ＭＲ−ＤＣ）に関する設定に用いられても良い。
【００６２】
Ｄｕａｌ  Ｃｏｎｎｅｃｔｉｖｉｔｙ（ＤＣ）とは、２つの基地局装置（ノード）がそれぞれ構成するセルグループ、すなわちマスターノード（Ｍａｓｔｅｒ  Ｎｏｄｅ：ＭＮ）が構成するマスタセルグループ（Ｍａｓｔｅｒ  Ｃｅｌｌ  Ｇｒｏｕｐ：ＭＣＧ）及びセカンダリノード（Ｓｅｃｏｎｄｅｒｙ  Ｎｏｄｅ：ＳＮ）が構成するセカンダリセルグループ（Ｓｅｃｏｎｄｅｒｙ  Ｃｅｌｌ  Ｇｒｏｕｐ：ＳＣＧ）の両方の無線リソースを利用してデータ通信を行う技術であっても良い。また非特許文献８に記載のＭＲ−ＤＣとは、Ｅ−ＵＴＲＡとＮＲの両方のＲＡＴ（Ｒａｄｉｏ  Ａｃｃｅｓｓ  Ｔｅｃｈｎｏｌｏｇｙ）のセルをＲＡＴ毎にセルグループ化してＵＥに割り当て、ＭＣＧとＳＣＧの両方の無線リソースを利用してデータ通信を行う技術であっても良い。ＭＲ−ＤＣにおいて、マスターノードとは、ＭＲ−ＤＣに係る主なＲＲＣ機能、例えば、セカンダリノードの追加、ＲＢの確立、変更、及び解放、ＭＣＧの追加、変更、解放、ハンドオーバ等の機能、を持つ基地局であっても良く、セカンダリノードとは、一部のＲＲＣ機能、例えばＳＣＧの変更、及び解放等、を持つ基地局であっても良い。
【００６３】
非特許文献８に記載のＭＲ−ＤＣにおいて、マスターノード側のＲＡＴのＲＲＣが、ＭＣＧ及びＳＣＧ両方の設定を行うために用いられても良い。例えばコア網がＥＰＣ１０４で、マスターノードがｅＮＢ１０２（拡張型ｅＮＢ１０２とも称する）である場合のＭＲ−ＤＣである、ＥＮ−ＤＣ（Ｅ−ＵＴＲＡ−ＮＲ  Ｄｕａｌ  Ｃｏｎｎｅｃｔｉｖｉｔｙ）、コア網が５ＧＣ１１０で、マスターノードがｅＮＢ１０２である場合のＭＲ−ＤＣである、ＮＧＥＮ−ＤＣ（ＮＧ−ＲＡＮ  Ｅ−ＵＴＲＡ−ＮＲ  Ｄｕａｌ  Ｃｏｎｎｅｃｔｉｖｉｔｙ）において、非特許文献４に記載のＥ−ＵＴＲＡのＲＲＣメッセージがｅＮＢ１０２とＵＥ１２２との間で送受信されても良い。この場合ＲＲＣメッセージには、ＬＴＥ（Ｅ−ＵＴＲＡ）の設定情報だけでなく、非特許文献１０に記載の、ＮＲの設定情報が含まれても良い。またｅＮＢ１０２からＵＥ１２２に送信されるＲＲＣメッセージは、ｅＮＢ１０２からｇＮＢ１０８を経由してＵＥ１２２に送信されても良い。また、本ＲＲＣメッセージの構成は、非ＭＲ−ＤＣであって、ｅＮＢ１０２（拡張型ｅＮＢ）がコア網として５ＧＣを用いる、Ｅ−ＵＴＲＡ／５ＧＣ（非特許文献１７に記載のオプション５）に用いられても良い。
【００６４】
また逆に、非特許文献８に記載のＭＲ−ＤＣにおいて、コア網が５ＧＣ１１０で、マスターノードがｇＮＢ１０８である場合のＭＲ−ＤＣである、ＮＥ−ＤＣ（ＮＲ−Ｅ−ＵＴＲＡ  Ｄｕａｌ  Ｃｏｎｎｅｃｔｉｖｉｔｙ）において、非特許文献１０に記載のＮＲのＲＲＣメッセージがｇＮＢ１０２とＵＥ１２２との間で送受信されても良い。この場合ＲＲＣメッセージには、ＮＲの設定情報だけでなく、非特許文献４に記載の、ＬＴＥ（Ｅ−ＵＴＲＡ）の設定情報が含まれても良い。またｇＮＢ１０８からＵＥ１２２に送信されるＲＲＣメッセージは、ｇＮＢ１０８からｅＮＢ１０２を経由してＵＥ１２２に送信されても良い。
【００６５】
なお、ＭＲ−ＤＣを利用する場合に限らず、ｅＮＢ１０２からＵＥ１２２に送信されるＥ−ＵＴＲＡ用ＲＲＣメッセージに、ＮＲ用ＲＲＣメッセージが含まれていても良いし、ｇＮＢ１０８からＵＥ１２２に送信されるＮＲ用ＲＲＣメッセージに、Ｅ−ＵＴＲＡ用ＲＲＣメッセージが含まれていても良い。
【００６６】
（実施の形態）
図１から図８を用いて、本発明の実施の形態を説明する。本発明の実施の形態では、ハンドオーバ等により、ＵＥ１２２の接続先コア網がＥＰＣ１０４から５ＧＣ１１０に切り
替わる際の処理に関して、説明を行う。ＵＥ１２２の接続先コア網がＥＰＣ１０４から５ＧＣ１１０に切り替わるとは、ＵＥ１２２がｅＮＢ１０２を介してＥＰＣ１０４接続する状態から、ＵＥ１２２がｅＮＢ１０２を介して５ＧＣ１１０と接続する状態に切り替わる事であっても良い。またＵＥ１２２の接続先コア網がＥＰＣ１０４から５ＧＣ１１０に切り替わるとは、ＵＥ１２２がｅＮＢ１０２を介してＥＰＣ１０４接続する状態から、ＵＥ１２２がｇＮＢ１０８を介して５ＧＣ１１０と接続する状態に切り替わる場合であっても良い。
【００６７】
なお、本発明の実施の形態において、端末装置の接続先のコア網の切り替えを伴うハンドオーバの事をインターシステム（ｉｎｔｅｒ  ｓｙｓｔｅｍ）ハンドオーバと呼ぶ事があり、端末装置の接続先のコア網の切り替えを伴わないハンドオーバの事をイントラシステム（ｉｎｔｒａ  ｓｙｓｔｅｍ）ハンドオーバと呼ぶ事がある。また本発明の実施の形態において、端末装置の接続先のＲＡＴの切り替えを伴うハンドオーバの事をインターＲＡＴ（ｉｎｔｅｒ  ＲＡＴ）ハンドオーバと呼ぶ事があり、端末装置の接続先のコア網の切り替えを伴わないハンドオーバの事をイントラＲＡＴ（ｉｎｔｒａ  ＲＡＴ）ハンドオーバと呼ぶ事がある。即ちＵＥ１２２の接続先基地局が、ｅＮＢからｇＮＢ、又はｇＮＢからｅＮＢに切り替わるハンドオーバの事をインターＲＡＴハンドオーバと呼ぶ事があり、ＵＥ１２２の接続先基地局が、ｅＮＢからｅＮＢ、又はｇＮＢからｇＮＢに切り替わるハンドオーバの事をイントラＲＡＴハンドオーバと呼ぶ事がある。
【００６８】
本発明の実施の形態においてハンドオーバは、端末装置が基地局装置から送られるＲＲＣコネクションの再設定に関するメッセージを受信した際、ＲＲＣコネクションの再設定に関するメッセージの中にハンドオーバに関する各種パラメータが含まれている事に事付いて行われても良い。またハンドオーバに関する各種パラメータとは、非特許文献４に記載のモビリティコントロールインフォ（ＭｏｂｉｌｉｔｙＣｏｎｔｒｏｌＩｎｆｏ）という名称の情報要素であっても良いし、非特許文献１０に記載のリコンフィギュレーションウィズシンク（ＲｅｃｏｎｆｉｇｕｒａｔｉｏｎＷｉｔｈＳｙｎｃ）という名称の情報要素であっても良いし、他の名称の情報要素であっても良い。
【００６９】
また本発明の実施の形態においてハンドオーバは、端末装置が基地局装置から、現在接続しているＲＡＴ（Ｅ−ＵＴＲＡ、又はＮＲ等）から第二のＲＡＴ（Ｅ−ＵＴＲＡ、又はＮＲ、又はＵＴＲＡ、又はＧＥＲＡＮ等）への移動である事を示すＲＲＣメッセージを受信した事に基づいて行われても良い。現在接続しているＲＡＴから第二のＲＡＴへの移動である事を示すＲＲＣメッセージとは、非特許文献４に記載のＭｏｂｉｌｉｔｙＦｒｏｍＥＵＴＲＡＣｏｍｍａｎｄという名称であっても良いし、非特許文献１０に記載ＭｏｂｉｌｉｔｙＦｒｏｍＮＲＣｏｍｍａｎｄという名称であっても良いし、他の名称であっても良い。また上述の現在接続しているＲＡＴから第二のＲＡＴへの移動である事を示すＲＲＣメッセージには、上述の第二のＲＡＴの設定に関するＲＲＣコネクションの再設定に関するメッセージが含まれていても良い。
【００７０】
図５は本発明の各実施の形態における端末装置（ＵＥ１２２）の構成を示すブロック図である。なお、説明が煩雑になることを避けるために、図５では、本発明と密接に関連する主な構成部のみを示す。
【００７１】
図５に示すＵＥ１２２は、ｅＮＢ１０２及び／又はｇＮＢ１０８よりＲＲＣメッセージ等を受信する受信部５００、及び受信したメッセージに含まれる各種情報要素（ＩＥ：Ｉｎｆｏｒｍａｔｉｏｎ  Ｅｌｅｍｅｎｔ）、及び／又は各種フィールド、及び／又は各種条件等の、設定情報に従って処理を行う処理部５０２から成る。
【００７２】
図６は本発明の各実施の形態における基地局装置（ｅＮＢ１０２及び／又はｇＮＢ１０
８）の構成を示すブロック図である。なお、説明が煩雑になることを避けるために、図６では、本発明と密接に関連する主な構成部のみを示す。
【００７３】
図６に示すｅＮＢ１０２及び／又はｇＮＢ１０８は、ＵＥ１２２へＲＲＣメッセージ等を送信する送信部６００、及び各種情報要素（ＩＥ：Ｉｎｆｏｒｍａｔｉｏｎ  Ｅｌｅｍｅｎｔ）、及び／又は各種フィールド、及び／又は各種条件等の、設定情報を含めたＲＲＣメッセージを作成し、ＵＥ１２２に送信する事により、ＵＥ１２２の処理部５０２に処理を行わせる処理部６０２から成る。
【００７４】
図７を用いて、本発明の実施の形態におけるＵＥ１２２の処理方法の一例を説明する。
【００７５】
ｅＮＢ１０２を介してＥＰＣ１０４に接続しているＵＥ１２２の受信部５００は、ｅＮＢ１０２の送信部６００から送信された、Ｅ−ＵＴＲＡから第二のＲＡＴへの移動である事を示すメッセージを受け取る（ステップＳ７００）。
【００７６】
ＵＥ１２２の処理部５０２は、上述のＥ−ＵＴＲＡから第二のＲＡＴへの移動である事を示すメッセージに含まれる、ＲＲＣコネクションの再設定に関するメッセージの中に、フル設定を適応する事を示す情報が含まれているか否かを確認する。含まれている場合には、ＲＲＣコネクションの再設定に関するメッセージの中に、フル設定を適応する事を示す情報が含まれている事に基づいて、フル設定における処理を行う（ステップＳ７０２）。
【００７７】
なお上述のＲＲＣコネクションの再設定に関するメッセージとは、非特許文献４に記載のＲＲＣコネクション再設定（ＲＲＣＣｏｎｎｅｃｔｉｏｎＲｅｃｏｎｆｉｇｕｒａｔｉｏｎ）という名称のメッセージであっても良いし、非特許文献１０に記載のＲＲＣ再設定（ＲＲＣＲｅｃｏｎｆｉｇｕｒａｔｉｏｎ）という名称のメッセージであっても良い。また上述のフル設定とは非特許文献４に記載のＦｕｌｌ  Ｃｏｎｆｉｇｕｒａｔｉｏｎという名称の情報であっても良いし、非特許文献１０に記載のＦｕｌｌ  Ｃｏｎｆｉｇｕｒａｔｉｏｎという名称の情報であっても良い。
【００７８】
ＵＥ１２２の処理部５０２は、フル設定における処理において、ＵＥ１２２の接続先のコア網を確認する。ＵＥ１２２の接続先コア網がＥＰＣ１０４である場合には、ＵＥ１２２がＥＰＣ１０４に接続している事に基づいて、確立又は設定している全てのＤＲＢに対するＰＤＣＰエンティティを解放する。なお、確立又は設定している全てのＤＲＢに対するＰＤＣＰエンティティを解放するとは、確立又は設定している全てのＤＲＢに対するＥ−ＵＴＲＡ  ＰＤＣＰエンティティ又はＮＲ  ＰＤＣＰエンティティを解放すると言っても良い。また、確立又は設定している全てのＤＲＢに対するＰＤＣＰエンティティを解放する際、確立又は設定している全てのＤＲＢに対するＲＬＣエンティティ、及び／又はロジカルチャネル、及び／又はＤＲＢ識別子（ＤＲＢ  Ｉｄｅｎｔｉｔｙ）を解放しても良い。また上述の解放処理を行う際、上位レイヤに対し、ＤＲＢの解放と、解放されたＤＲＢに対応するＥＰＳベアラ識別子を通知しても良い（ステップＳ７０４）。
【００７９】
なお、上述の確立又は設定している全てのＤＲＢとは、確立又は設定している全てのＲＢと言っても良い。また、上述の確立又は設定している全てのＤＲＢとは、ＵＥ１２２が設定している全てのＥＰＳベアラ識別子（ＥＰＳ  ｂｅａｒｅｒ  Ｉｄｅｎｔｉｔｙ）に対応するＤＲＢであっても良い。
【００８０】
なお上述の、ＵＥ１２２がＥＰＣ１０４に接続している事に基づく判断は、５ＧＣ１１０に接続していない事に基づく判断でも良いし、ＥＰＣ１０４から５ＧＣ１１０への移動である事に基づく判断でも良い。また、上述のＥＰＣ１０４から５ＧＣ１１０への移動は、（ＥＰＣ１０４から５ＧＣ１１０への）インターシステムハンドオーバと言い換えても良いし、上述のインターシステムハンドオーバとは、インターシステムハンドオーバかつインターＲＡＴハンドオーバであっても良いし、インターシステムハンドオーバかつイントラＲＡＴハンドオーバであっても良い。
【００８１】
また上述の、ＵＥ１２２がＥＰＣ１０４に接続している事に基づく判断は、上述のＲＲＣコネクションの再設定に関するメッセージの中に、ＥＰＣ１０４から５ＧＣ１１０へのインターシステムハンドオーバである事を明示的に示す情報、又はＥＰＣ１０４から５ＧＣ１１０へのインターシステムハンドオーバである事が分かる情報（ＥＰＣ１０４から５ＧＣ１１０へのインターシステムハンドオーバである事を暗黙的に示す情報）が含まれている事に基づく判断であっても良い。上述のＥＰＣ１０４から５ＧＣ１１０へのインターシステムハンドオーバである事を示す情報、又はＥＰＣ１０４から５ＧＣ１１０へのインターシステムハンドオーバである事が分かる情報とは、例えば非特許文献１０に記載の、ｎａｓ−Ｃｏｎｔａｉｎｅｒという名称の情報要素であっても良いし、他の名称の情報要素であっても良い。上述のｎａｓ−Ｃｏｎｔａｉｎｅｒという名称の情報要素は、マスター鍵変更を示す情報に含まれても良い。
【００８２】
またＵＥ１２２の処理部５０２は、上述のフル設定における処理において、上述のＲＲＣコネクションの再設定に関するメッセージに含まれる各ＳＲＢ識別子（ＳＲＢ  Ｉｄｅｎｔｉｔｙ）に対し、Ｅ−ＵＴＲＡ  ＰＤＣＰエンティティが設定されている、又はＥ−ＵＴＲＡ  ＰＤＣＰエンティティが設定されていた場合には、Ｅ−ＵＴＲＡ  ＰＤＣＰエンティティを解放しても良い。またＥ−ＵＴＲＡ  ＰＤＣＰエンティティを解放した後にＮＲ  ＰＤＣＰを確立しても良い。また、ＲＲＣコネクションの再設定に関するメッセージに含まれる各ＳＲＢ識別子に対し、Ｅ−ＵＴＲＡ  ＲＬＣベアラが確立又は設定されている場合、又はＥ−ＵＴＲＡ  ＲＬＣベアラが確立又は設定されていた場合には、Ｅ−ＵＴＲＡ  ＲＬＣベアラを解放しても良い。上述のＲＬＣベアラとは、ＲＬＣエンティティ、及び／又はロジカルチャネルの事であっても良い（不図示）。
【００８３】
図８を用いて、本発明の実施の形態におけるＵＥ１２２の処理方法の別の一例を説明する。
【００８４】
ｅＮＢ１０２を介してＥＰＣ１０４に接続しているＵＥ１２２の受信部５００は、ｅＮＢ１０２の送信部６００から送信された、Ｅ−ＵＴＲＡから第二のＲＡＴへの移動である事を示すメッセージを受け取る（ステップＳ８００）。
【００８５】
ＵＥ１２２の処理部５０２は、上述のＥ−ＵＴＲＡから第二のＲＡＴへの移動である事を示すメッセージに従ったハンドオーバ処理を行い、更に上述のＥ−ＵＴＲＡから第二のＲＡＴへの移動である事を示すメッセージに従ったハンドオーバが、正常完了した事に基づく処理を行う（ステップＳ８０２）。
【００８６】
ＵＥ１２２の処理部５０２は、上述のＥ−ＵＴＲＡから第二のＲＡＴへの移動である事を示すメッセージに従ったハンドオーバが、正常完了した事に基づく処理において、上述のＥ−ＵＴＲＡから第二のＲＡＴへの移動である事を示すメッセージに、上述の第二のＲＡＴがＮＲである事を意味する情報が含まれている事、及びＵＥ１２２がＥＰＣ１０４に接続していた事に基づいて、ＵＥ１２２が設定している全てのＥＰＳベアラ識別子（ＥＰＳ  ｂｅａｒｅｒ  Ｉｄｅｎｔｉｔｙ）に対応するＤＲＢに対し、ＰＤＣＰエンティティを解放する。またこの際、ＵＥ１２２が設定している全てのＥＰＳベアラ識別子（ＥＰＳ
ｂｅａｒｅｒ  Ｉｄｅｎｔｉｔｙ）に対応するＤＲＢに対し、ＤＲＢ識別子（ＤＲＢ  Ｉｄｅｎｔｉｔｙ）を解放しても良い。またこの際、上位レイヤに対し、ＤＲＢの解放と、解放されたＤＲＢに対応するＥＰＳベアラ識別子を通知しても良い。またこの際、上位レイヤに対し、ＲＲＣ接続が解放された事を通知しても良い。なお、上述のＰＤＣＰエンティティを解放するとは、Ｅ−ＵＴＲＡ  ＰＤＣＰエンティティ又はＮＲ  ＰＤＣＰエンティティと言っても良い。また、上術のＵＥ１２２が設定している全てのＥＰＳベアラ識別子（ＥＰＳ  ｂｅａｒｅｒ  Ｉｄｅｎｔｉｔｙ）に対応するＤＲＢに対し、とは、確立していた全てのＤＲＢに対し、と言っても良い。上術のＵＥ１２２が設定している全てのＥＰＳベアラ識別子に対応するとは、ＥＰＣ１０４に関連する、又はＥＰＣ１０４に対応する、などと言っても良いし、ＲＢがＥＰＣ１０４に関連、又は対応等している事を示す他の表現でも良い。（ステップＳ８０４）。
【００８７】
またＵＥ１２２の処理部５０２は、上述のＥ−ＵＴＲＡから第二のＲＡＴへの移動である事を示すメッセージに従ったハンドオーバが、正常完了した事に基づく処理において、上述のＥ−ＵＴＲＡから第二のＲＡＴへの移動である事を示すメッセージに、上述の第二のＲＡＴがＮＲである事を意味する情報が含まれている事、及びＵＥ１２２がＥＰＣ１０４に接続していた事に基づいて、ＳＲＢのＥ−ＵＴＲＡ  ＰＤＣＰエンティティを解放しても良い。また上述のＳＲＢのＥ−ＵＴＲＡ  ＰＤＣＰエンティティの解放は、ＳＲＢに対しＥ−ＵＴＲＡ  ＰＤＣＰエンティティが確立又は設定されている場合、又はＥ−ＵＴＲＡ  ＰＤＣＰエンティティが確立又は設定されていた場合に行われても良い。また上述のＳＲＢのＥ−ＵＴＲＡ  ＰＤＣＰエンティティを解放する処理は、確立又は設定している全てのＳＲＢに対して行われても良い（不図示）。
【００８８】
また上述の、ＵＥ１２２がＥＰＣ１０４に接続していた事とは、ＵＥ１２２が５ＧＣ１１０に接続していなかった事と言っても良い。
【００８９】
また上述の、ＵＥ１２２がＥＰＣ１０４に接続していた事とは、ＵＥ１２２が上述のＥ−ＵＴＲＡから第二のＲＡＴへの移動である事を示すメッセージを受信した際にＥＰＣ１０４に接続していた事であっても良いし、ＵＥ１２２が上述のＥ−ＵＴＲＡから第二のＲＡＴへの移動である事を示すメッセージに従ったハンドオーバ処理を行う前にＥＰＣ１０４に接続していた事であっても良い。
【００９０】
また、ＵＥ１２２の処理部５０２は、上述のＥ−ＵＴＲＡから第二のＲＡＴへの移動である事を示すメッセージに従ったハンドオーバが、正常完了した事に基づく処理において、上述のＥ−ＵＴＲＡから第二のＲＡＴへの移動である事を示すメッセージに、上述の第二のＲＡＴがＮＲである事を意味する情報が含まれている事、及び５ＧＣ内におけるハンドオーバである事を意味する情報が含まれている事に基づいて、ＲＡＮ通知エリア情報を解放しても良い。また上述のＲＡＮ通知エリア情報の解放は、ＵＥ１２２にＲＡＮ通知エリア情報が格納されている場合に行われても良い。また上述のＲＡＮ通知エリア情報とは、ＲＡＮ通知エリア又はＲＡＮエリアとして設定されたセルのリスト情報、及び／又はＲＡＮエリアのコード、及び／又はＲＡＮエリアのコードのリストなどが含まれていても良い（不図示）。
【００９１】
またＵＥ１２２の処理部５０２は、上述のＥ−ＵＴＲＡから第二のＲＡＴへの移動である事を示すメッセージに従ったハンドオーバが、正常完了した事に基づく処理において、上述のＥ−ＵＴＲＡから第二のＲＡＴへの移動である事を示すメッセージに、上述の第二のＲＡＴがＥ−ＵＴＲＡである事を意味する情報が含まれている事、及び５ＧＣ１１０からＥＰＣ１０４へのインターシステムハンドオーバである事を意味する情報が含まれている事に基づいて、ＵＥ１２２が設定している全てのＰＤＵセッションに関連しているＰＤＣＰエンティティ、及び／又はＤＲＢ識別子、及び／又はＳＤＡＰエンティティを解放しても良い。またこの際ＰＤＵセッションに対応するユーザプレーンリソースが解放された事を上位レイヤに通知しても良い。また上述のＵＥ１２２が設定している全てのＰＤＵセッションに関連しているとは、５ＧＣ１１０に関連している、又は５ＧＣ１１０に対応しているなどと言っても良いし、ＲＢが５ＧＣ１１０に関連、又は対応等している事を示す他の表現でも良い。（不図示）。
【００９２】
またＵＥ１２２の処理部５０２は、上述のＥ−ＵＴＲＡから第二のＲＡＴへの移動である事を示すメッセージに従ったハンドオーバが、正常完了した事に基づく処理において、上述のＥ−ＵＴＲＡから第二のＲＡＴへの移動である事を示すメッセージに、上述の第二のＲＡＴがＥ−ＵＴＲＡである事を意味する情報が含まれている事、及びＥＰＣ１０４から５ＧＣ１１０へのインターシステムハンドオーバである事を意味する情報が含まれている事に基づいて、ＵＥ１２２が設定している全てのＥＰＳベアラ識別子に対応するＤＲＢに対し、ＰＤＣＰエンティティ、及び／又はＤＲＢ識別子を解放しても良い。またこの際ＤＲＢが解放された事、及び解放されたＤＲＢに対応するＥＰＳベアラ識別子を上位レイヤに通知しても良い。また上述のＵＥ１２２が設定している全てのＥＰＳベアラ識別子に対応するとは、ＥＰＣ１０４に関連する、又はＥＰＣ１０４に対応するなどと言っても良いし、ＲＢがＥＰＣ１０４に関連、又は対応等している事を示す他の表現でも良い。（不図示）。
【００９３】
なお、ＵＥ１２２の受信部５００が、ｇＮＢ１０８の送信部６００から送られる、ＮＲから第二のＲＡＴへの移動である事を示すメッセージを受信した場合、ＵＥ１２２の処理部５０２は上述のＮＲから第二のＲＡＴへの移動である事を示すメッセージに従ったハンドオーバが、正常完了した事に基づく処理を行っても良い。上述のＮＲから第二のＲＡＴへの移動である事を示すメッセージに従ったハンドオーバが、正常完了した事に基づく処理において、デルタ設定が利用されていない事、及び／又はＥＰＣ１０４へのインターシステムハンドオーバである事に基づいて、全てのＲＢに対するＰＤＣＰエンティティ、及び／又はＳＤＡＰエンティティ、及び／又はＲＢ識別子を解放しても良い。また上述の全てのＲＢとはＰＤＵセッションに関連するＲＢと呼んでも良い。また上述の全てのＲＢとは５ＧＣ１１０に関連した、又は５ＧＣ１１０に対応したＲＢなどと呼んでも良いし、ＲＢが５ＧＣ１１０に関連、又は対応等している事を示す他の表現でも良い。（不図示）。
【００９４】
また、ＵＥ１２２の受信部５００が、ｇＮＢ１０８の送信部６００から送られる、ＮＲから第二のＲＡＴへの移動である事を示すメッセージを受信した場合、ＵＥ１２２の処理部５０２は、上述のＮＲから第二のＲＡＴへの移動である事を示すメッセージに、ハンドオーバ先（ターゲット）のＲＡＴが、ＵＴＲＡ（ＵＭＴＳ  Ｔｅｒｒｅｓｔｒｉａｌ  Ｒａｄｉｏ  Ａｃｃｅｓｓ）又はＧＥＲＡＮ（ＧＳＭ  ＥＤＧＥ  Ｒａｄｉｏ  Ａｃｃｅｓｓ  Ｎｅｔｗｏｒｋ）である事を示す情報が含まれる場合には、ハンドオーバ先（ターゲット）のＲＡＴが、ＵＴＲＡ又はＧＥＲＡＮである事を示す情報が含まれる事に基づいて、ＵＴＲＡ又はＧＥＲＡＮへのインターＲＡＴハンドオーバが起動されたと見なしても良い。
また、ハンドオーバ先（ターゲット）のＲＡＴが、ＵＴＲＡ又はＧＥＲＡＮである事を示す情報が含まれる事に基づいて、ＮＲからのインターシステム、及び／又はインターシステムハンドオーバの際の鍵同期（ｋｅｙ  ｓｙｎｃｈｒｏｎｉｓａｔｉｏｎ）、及び／又は鍵更新（ｋｅｙ  ｆｒｅｓｈｎｅｓｓ）に使われる情報が上述のＮＲから第二のＲＡＴへの移動である事を示すメッセージに含まれている場合には、上述のＮＲからのインターシステム、及び／又はインターシステムハンドオーバの際の鍵同期、及び／又は鍵更新に使われる情報を上位レイヤに転送しても良い。上述のＮＲからのインターシステム、及び／又はインターシステムハンドオーバの際の鍵同期、及び／又は鍵更新に使われる情報は、非特許文献１０に記載の、ｎａｓ−ＳｅｃｕｒｉｔｙＰａｒａｍＦｒｏｍＮＲという名称を持つ情報であっても良い。また、上述のＮＲから第二のＲＡＴへの移動である事を示すメッセージに従ったハンドオーバが、正常完了した事に基づく処理において、ハンドオーバ先（ターゲット）のＲＡＴがＥ−ＵＴＲＡである事に基づいて、ＭＡＣのリセット、及び／又は稼働している全てのタイマーの停止、及び／又はＲＡＮ通知エリア情報の解放、及び／又はＡＳセキュリティコンテクストの解放、及び／又は全ての無線リソースの解放、及び／又は、ＲＲＣコネクションが解放された事の上位レイヤへの通知等を行っても良いし、更にデルタ設定が利用されていない事、及び／又はＥＰＣ１０４へのインターシステムハンドオーバである事に基づいて、全てのＲＢに対するＰＤＣＰエンティティ、及び／又はＳＤＡＰエンティティ、及び／又はＲＢ識別子を解放しても良い。また、上述のＮＲから第二のＲＡＴへの移動である事を示すメッセージに従ったハンドオーバが、正常完了した事に基づく処理において、ハンドオーバ先（ターゲット）のＲＡＴがＥ−ＵＴＲＡ以外（ＵＴＲＡ又はＧＥＲＡＮ等）である事に基づいて、ＲＲＣコネクションの解放を上位レイヤに通知しても良い（不図示）。
【００９５】
なお、本発明の実施の形態における、Ｅ−ＵＴＲＡから第二のＲＡＴへの移動である事を示すメッセージとは、非特許文献４に記載のＭｏｂｉｌｉｔｙＦｒｏｍＥＵＴＲＡＣｏｍｍａｎｄという名称のメッセージであっても良い。また本発明の実施の形態における、ＮＲから第二のＲＡＴへの移動である事を示すメッセージとは、非特許文献１０に記載ＭｏｂｉｌｉｔｙＦｒｏｍＮＲＣｏｍｍａｎｄという名称のメッセージであっても良い。
【００９６】
このように、本発明の実施の形態では、ＵＥ１２２のハンドオーバ元ＲＡＴ、ハンドオーバ先ＲＡＴ、ハンドオーバ元コア網、ハンドオーバ先コア網の種類に応じた処理を行う事ができる。即ち、端末装置は、プロトコル処理の複雑さを軽減し、効率的に通信を行うことができる。
【００９７】
なお、本発明の各実施の形態における、端末装置、及び方法は、例えば以下のように言う事ができる。
【００９８】
すなわち基地局装置と通信する端末装置であって、前記基地局装置からＲＲＣコネクションの再設定に関するメッセージを受信する受信部と、前記ＲＲＣコネクションの再設定に関するメッセージに、フル設定を適応する事を示す情報が含まれている事に基づいて、フル設定における処理を行い、前記フル設定における処理において、前記端末装置が５Ｇコア網に接続していない事に基づいて、確立している全てのＤＲＢに対する、ＰＤＣＰエンティティを解放する処理を行う処理部と、を有する。
【００９９】
また本発明の一態様は、基地局装置と通信する端末装置であって、前記基地局装置から、Ｅ−ＵＴＲＡから第二のＲＡＴへの移動である事を示すメッセージを受信する受信部と、前記Ｅ−ＵＴＲＡから第二のＲＡＴへのハンドオーバである事を示すメッセージに従った、ハンドオーバが正常完了した事に基づく処理を行い、前記ハンドオーバが正常完了した事に基づく処理において、前記Ｅ−ＵＴＲＡから第二のＲＡＴへのハンドオーバである事を示すメッセージに、前記第二のＲＡＴがＮＲである事の情報が含まれている事、及び前記端末装置がＥＰＣに接続していた事に基づいて、確立している全てのＥＰＳベアラＩＤに対応しているＤＲＢに対し、ＰＤＣＰエンティティを解放する処理を行う処理部と、を有する。
【０１００】
また本発明の一態様は、端末装置と通信する基地局装置であって、前記端末装置へＲＲＣコネクションの再設定に関するメッセージを送信する送信部と、前記端末装置に、前記ＲＲＣコネクションの再設定に関するメッセージに、フル設定を適応する事を示す情報が含まれている事に基づいて、フル設定における処理を行わせ、前記フル設定における処理において、前記端末装置が５Ｇコア網に接続していない事に基づいて、確立している全てのＤＲＢに対する、ＰＤＣＰエンティティを解放する処理を行わせる処理部と、を有する。
【０１０１】
また本発明の一態様は、端末装置と通信する基地局装置であって、前記端末装置へ、Ｅ
−ＵＴＲＡから第二のＲＡＴへの移動である事を示すメッセージを送信する送信部と、前記端末装置に、前記Ｅ−ＵＴＲＡから第二のＲＡＴへのハンドオーバである事を示すメッセージに従った、ハンドオーバが正常完了した事に基づく処理を行わせ、前記ハンドオーバが正常完了した事に基づく処理において、前記Ｅ−ＵＴＲＡから第二のＲＡＴへのハンドオーバである事を示すメッセージに、前記第二のＲＡＴがＮＲである事の情報が含まれている事、及び前記端末装置がＥＰＣに接続していた事に基づいて、確立している全てのＥＰＳベアラＩＤに対応しているＤＲＢに対し、ＰＤＣＰエンティティを解放する処理を行わせる処理部と、を有する。
【０１０２】
また本発明の一態様は、基地局装置と通信する端末装置の方法であって、前記基地局装置からＲＲＣコネクションの再設定に関するメッセージを受信し、前記ＲＲＣコネクションの再設定に関するメッセージに、フル設定を適応する事を示す情報が含まれている事に基づいて、フル設定における処理を行い、前記フル設定における処理において、前記端末装置が５Ｇコア網に接続していない事に基づいて、確立している全てのＤＲＢに対する、ＰＤＣＰエンティティを解放する処理を行う。
【０１０３】
また本発明の一態様は、基地局装置と通信する端末装置の方法であって、前記基地局装置から、Ｅ−ＵＴＲＡから第二のＲＡＴへの移動である事を示すメッセージを受信し、前記Ｅ−ＵＴＲＡから第二のＲＡＴへのハンドオーバである事を示すメッセージに従った、ハンドオーバが正常完了した事に基づく処理を行い、前記ハンドオーバが正常完了した事に基づく処理において、前記Ｅ−ＵＴＲＡから第二のＲＡＴへのハンドオーバである事を示すメッセージに、前記第二のＲＡＴがＮＲである事の情報が含まれている事、及び前記端末装置がＥＰＣに接続していた事に基づいて、確立している全てのＥＰＳベアラＩＤに対応しているＤＲＢに対し、ＰＤＣＰエンティティを解放する処理を行う。
【０１０４】
また本発明の一態様は、端末装置と通信する基地局装置の方法であって、前記端末装置へＲＲＣコネクションの再設定に関するメッセージを送信し、前記端末装置に、前記ＲＲＣコネクションの再設定に関するメッセージに、フル設定を適応する事を示す情報が含まれている事に基づいて、フル設定における処理を行わせ、前記フル設定における処理において、前記端末装置が５Ｇコア網に接続していない事に基づいて、確立している全てのＤＲＢに対する、ＰＤＣＰエンティティを解放する処理を行わせる。
【０１０５】
また本発明の一態様は、端末装置と通信する基地局装置の方法であって、前記端末装置へ、Ｅ−ＵＴＲＡから第二のＲＡＴへの移動である事を示すメッセージを送信する送信部と、前記端末装置に、前記Ｅ−ＵＴＲＡから第二のＲＡＴへのハンドオーバである事を示すメッセージに従った、ハンドオーバが正常完了した事に基づく処理を行わせ、前記ハンドオーバが正常完了した事に基づく処理において、前記Ｅ−ＵＴＲＡから第二のＲＡＴへのハンドオーバである事を示すメッセージに、前記第二のＲＡＴがＮＲである事の情報が含まれている事、及び前記端末装置がＥＰＣに接続していた事に基づいて、確立している全てのＥＰＳベアラＩＤに対応しているＤＲＢに対し、ＰＤＣＰエンティティを解放する処理を行わせる。
【０１０６】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１０７】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステムに読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【０１０８】
さらに「コンピュ−タが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【０１０９】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１１０】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１１１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【符号の説明】
【０１１２】
１００  Ｅ−ＵＴＲＡ
１０２  ｅＮＢ
１０４  ＥＰＣ
１０６  ＮＲ
１０８  ｇＮＢ
１１０  ５ＧＣ
１１２、１１４、１１６，１１８、１２０、１２４  インタフェース
１２２  ＵＥ
２００、３００  ＰＨＹ
２０２、３０２  ＭＡＣ
２０４、３０４  ＲＬＣ
２０６、３０６  ＰＤＣＰ
２０８、３０８  ＲＲＣ
３１０  ＳＤＡＰ
５００  受信部
５０２、６０２  処理部
６００  送信部
【図１】
2020113880.tif 000003
【図２】
2020113880.tif 000004
【図３】
2020113880.tif 000005
【図４】
2020113880.tif 000006
【図５】
2020113880.tif 000007
【図６】
2020113880.tif 000008
【図７】
2020113880.tif 000009
【図８】
2020113880.tif 000010